(57)【特許請求の範囲】
【請求項１】
固定ヨークと、その内部に配置された電路と、
固定ヨークに隣接させて配置された可動ヨークとからなる回路遮断器の瞬時引き外し装置において、
前記電路はバイメタルであり、磁性部材をバイメタルと一体に固定することにより、電路と固定ヨーク間、または電路と可動ヨーク間の少なくとも一方に、磁性部材を配置したことを特徴とする回路遮断器の瞬時引き外し装置。
【発明の詳細な説明】
【技術分野】
【０００１】
本発明は、回路遮断器の瞬時引き外し装置の改良に関するものである。
【背景技術】
【０００２】
回路遮断器には、熱動式の引き外し装置と、電磁式の引き外し装置とが組み込まれている（特許文献１）。
【０００３】
熱動式の引き外し装置は、電路となるバイメタルに過大電流が流れたときにバイメタルが変形し、トリガプレートを動かしてラッチの係止を解除し、トリップ動作を行わせるものである。また電磁式の引き外し装置は、電路となるバイメタルに短絡電流のような大電流が流れたときに発生する磁束により固定ヨークを磁化させ、固定ヨークに隣接配置された可動ヨークを瞬時に引きよせてトリガプレートを動かし、ラッチの係止を解除し、トリップ動作を行わせるものである。
【０００４】
工業用制御装置の安全規格（ＵＬ５０８）により、定格電流の６００％以上の電流が流れたときに必要な引き外し時間が定められており、このような場合には電磁式の引き外し装置により、回路が瞬時に遮断されるようになっている。
【０００５】
ところが、電流によって発生する磁界の強さは、電流に比例する。このため、定格電流が小さい回路遮断器においては、定格電流の６００％以上の電流が流れたとしても磁界は弱く、可動ヨークを引き寄せる力も小さくなるために、確実に回路を遮断できない可能性があった。
【０００６】
また、固定ヨークと可動ヨークとの間には作動用のギャップが形成されているため、これも可動ヨークを引き寄せる力を低下させる原因となっている。
【先行技術文献】
【特許文献】
【０００７】
【特許文献１】特開２００２−７５１６３号公報
【発明の概要】
【発明が解決しようとする課題】
【０００８】
従って本発明の目的は上記した従来の問題点を解決し、定格電流が小さい回路遮断器においても、確実に瞬時遮断を行わせることができる回路遮断器の瞬時引き外し装置を提供することである。
【課題を解決するための手段】
【０００９】
上記の課題を解決するためになされた本発明は、固定ヨークと、その内部に配置された電路と、固定ヨークに隣接させて配置された可動ヨークとからなる回路遮断器の瞬時引き外し装置において、前記電路はバイメタルであり、磁性部材をバイメタルと一体に固定することにより、電路と固定ヨーク間、または電路と可動ヨーク間の少なくとも一方に、磁性部材を配置したことを特徴とするものである。
【００１０】
【００１１】
【発明の効果】
【００１２】
本発明の回路遮断器の瞬時引き外し装置は、磁性部材により固定ヨークと可動ヨーク間の磁束を強くし、可動ヨークを固定ヨークに引き寄せる吸引力を高めることができる。このため、定格電流が小さい回路遮断器であっても確実に瞬時引き外し動作を行わせることができる。
【００１３】
また本発明によれば、磁性部材をバイメタルと一体に固定したので、回路遮断器への組付けが容易となる。
【図面の簡単な説明】
【００１４】
【図１】回路遮断器の内部機構の説明図である。
【図２】第１の実施形態の要部を示す斜視図である。
【図３】第１の実施形態の要部を示す分解斜視図である。
【図４】第１の実施形態の要部を示す正面図とそのＡ−Ａ断面図である。
【図５】可動ヨークが吸着された状態を示す正面図とそのＢ−Ｂ断面図である。
【発明を実施するための形態】
【００１５】
以下に本発明の実施形態を説明する。
図１は回路遮断器の内部機構の説明図であり、１は電路となるバイメタル、２はバイメタル１を囲むように配置された断面がコ字型の固定ヨーク、３は固定ヨーク２に隣接配置された可動ヨーク、４はバイメタル１の先端に設けられた調節ねじ、５はバイメタル１が変形したときに調節ねじ４によって動かされるトリガープレート、６はトリガープレート５に係止されるラッチである。８は、可動ヨーク２の動作に連動して回動する補助金具である。
【００１６】
熱動式の引き外し装置を構成するバイメタル１は、電路に過電流が流れると徐々に湾曲してトリガープレート５を動かしラッチ６を外して公知の引き外し機構を動作させ、回路を遮断する。
【００１７】
また、バイメタル１と固定ヨーク２と可動ヨーク３は電磁式の引き外し装置を構成するものであり、電路であるバイメタル１に短絡電流などの大電流が流れると、その電流により発生する磁束が固定ヨーク２と可動ヨーク３を磁化させて可動ヨーク３が固定ヨーク２に吸着される。図５に示すように、可動ヨーク３は軸７により固定ヨーク２に枢着されているため、可動ヨーク３が固定ヨーク２に引き寄せられると補助金具８の上端部８ａがトリガープレート５を動かし、同様に回路を遮断する。なお、電磁式の引き外し装置の電路はバイメタル１である必要はなく、より線によって電路を形成する。
【００１８】
これらの熱動式の引き外し装置及び電磁式の引き外し装置の作動は従来と同様であるが、以下に説明するように、本発明では電磁式の引き外し装置に従来になかった磁性部材９を組み込み、電路を流れる電流値が比較的小さい場合にも確実に可動ヨーク３が固定ヨーク２に引き寄せられるようにした。
【００１９】
図２から図５は本発明の第１の実施形態を示すもので、平板状の磁性部材９が電路であるバイメタル１と固定ヨーク２との間に配置されている。磁性部材９は鉄、フェライト等の透磁性に優れた材料からなる。図３、図４に示すように、この実施形態では磁性部材９はバイメタル１と固定ヨーク２の下部１０に固定されている。なお、可動ヨーク３が固定された補助金具８は固定ヨーク２から離れる方向に、ばね１１により付勢されている。
【００２０】
図４の下図に示すように、断面コ字型の固定ヨーク２の内部に電路であるバイメタル１と磁性部材９とが配置され、可動ヨーク３は固定ヨーク２との間に作動用のギャップを設けて隣接配置されている。電路に短絡電流等が流れると、電路を中心とした磁束が発生する。このため、磁性部材９を設けると磁性部材９が磁化することによって図５の下図に示すように可動ヨーク３と固定ヨーク２を通過する磁束Ｗｂを多くし、即ち磁束密度を高くすることによって磁力を高めることが可能となる。この結果、可動ヨーク３を吸着する力が高まり、定格電流が小さい回路遮断器であっても、図５に示すように、確実に可動ヨーク３は固定ヨーク２に吸着され、瞬時引き外し動作を行わせることができることとなる。図６に示すように、磁性部材９は固定ヨーク２に密着させるものでも良い。また、磁性部材９は固定ヨーク２のコ字状の腕部に渡すように密着させることや、更に、バイメタル１とも密着させるようにしても良く、その場合であっても、より磁力を高めることが可能である。
【００２１】
この第１の実施形態のように、磁性部材９をバイメタル１と一体に組み込めば、回路遮断器への組み込み作業が容易となる。このように、磁性部材９は定格電流が比較的小さい回路遮断器においては瞬時引き外し能力を向上させる効果があるが、定格電流が大きい回路遮断器においては、磁性部材９を電路としてヒータとしての機能を持たせ、回路遮断器を傍熱式・傍直熱式として部材を兼用することもできる。傍熱式はバイメタル１に直接電流を流さない形式であり、この場合には図１に示すより線１２をバイメタル１に接続せず、磁性部材９に接続すればよい。
【００２２】
なお、磁性部材９をバイメタル１に密着させる場合には、バイメタル１の湾曲方向の反対側に磁性部材９を配置し、バイメタル１の湾曲動作に影響しないようにすることが望ましい。
【００２３】
【００２４】
【００２５】
【００２６】
以上に説明したように、本発明の回路遮断器の瞬時引き外し装置によれば、磁性部材９によって可動ヨーク３と固定ヨーク２を通過する磁束密度が高くなり、定格電流の小さい回路遮断器においても、瞬時引き外し動作を確実に行わせることができる利点がある。
【符号の説明】
【００２７】
１  バイメタル
２  固定ヨーク
３  可動ヨーク
４  調節ねじ
５  トリガープレート
６  ラッチ
７  軸
８  補助金具
８ａ  上端部
９  磁性部材
１０  下部
１１  ばね
１２  より線
Ｗｂ  磁束
【図１】
0006584216.tif 000002
【図２】
0006584216.tif 000003
【図３】
0006584216.tif 000004
【図４】
0006584216.tif 000005
【図５】
0006584216.tif 000006